(57)【要約】【課題】インクジェット印刷用織物繊維材料のためのインク及び方法を提供する。【解決手段】本発明は、（Ａ）下式【化１】2015533879.tif 000030（式中、Ｒ1は炭素原子数１乃至１２のアルキル基或いは１個以上の酸素原子及び／又は−ＣＯＯ−基により中断された炭素原子数２乃至１２のアルキル基を表し、及びＲ2、Ｒ3、Ｒ4及びＲ5は互いに独立して、水素原子、炭素原子数１乃至１２のアルキル基、塩素原子、臭素原子、ヒドロキシ基又はアミノ基を表す。）で表される少なくとも１種の染料；（Ｂ）下式【化２】2015533879.tif 000031（式中、Ｒ6は水素原子、臭素原子、塩素原子又はシアノ基を表し、Ｒ7はトリフルオロメチル基、臭素原子又は塩素原子を表し、Ｒ8は水素原子、メチル基又はアセチルアミノ基を表し、Ｒ9及びＲ10は互いに独立して、未置換であるか又はシアノ基若しくはアシルオキシ基で置換された炭素原子数１乃至４のアルキル基を表し、該炭素原子数１乃至４のアルキル基であるＲ9及びＲ10の一方は、シアノ基又はアシルオキシ基で置換されている。）で表される少なくとも１種の染料；及び（Ｃ）下式【化３】2015533879.tif 000032（式中、Ｒ11はフッ素原子、トリフルオロメチル基、トリフルオロメトキシ基、トリフルオロメチルスルホニル基又はシアノ基を表し、Ｒ12及びＲ13は互いに独立して、水素原子、炭素原子数１乃至１２のアルキル基、炭素原子数１乃至１２のアルコキシ基、ハロゲン原子、シアノ基、ニトロ基、トリフルオロメチル基又は−ＣＯＯＲ16（式中、Ｒ16は、未置換であるか又は１個以上の炭素原子数１乃至１２のアルコキシ基、ヒドロキシ基、アミノ基若しくはハロゲン原子で置換された炭素原子数１乃至１２のアルキル基を表す。）を表し、及び基Ｒ14及びＲ15の一方は、水素原子或いは未置換であるか又はヒドロキシ基、炭素原子数１乃至４のアシルオキシ基、炭素原子数１乃至６のアルコキシ基、炭素原子数１乃至４のアシルオキシ−炭素原子数１乃至６のアルコキシ基若しくはヒドロキシ−炭素原子数１乃至６のアルコキシ基で置換された炭素原子数１乃至６のアルキル基を意味し、基Ｒ14及びＲ15の他の一方は、未置換であるか又はフェノキシ−炭素原子数１乃至６のアルコキシ基で置換された炭素原子数１乃至６のアルキル基或いは未置換であるか又は炭素原子数１乃至１２のアルキル基、炭素原子数１乃至１２のアルコキシ基及びトリフルオロメチル基からなる群からの１個以上の置換基で置換されたフェニル基を意味する。）で表される少なくとも１種の染料を含む水性インク、及び半合成又は合成の疎水性織物繊維材料を前記水性インクで印刷するためのインクジェット印刷方法であって、得られた印刷物が高温光堅牢度及び同時に高い色強度を有する方法に関する。【選択図】なし
2015533879.tif 000002
【特許請求の範囲】
【請求項１】
（Ａ）下式
【化１】
2015533879.tif 000024
（式中、
Ｒ1は炭素原子数１乃至１２のアルキル基或いは１個以上の酸素原子及び／又は−ＣＯＯ−基により中断された炭素原子数２乃至１２のアルキル基を表し、及び
Ｒ2、Ｒ3、Ｒ4及びＲ5は互いに独立して、水素原子、炭素原子数１乃至１２のアルキル基、塩素原子、臭素原子、ヒドロキシ基又はアミノ基を表す。）で表される少なくとも１種の染料；
（Ｂ）下式
【化２】
2015533879.tif 000025
（式中、
Ｒ6は水素原子、臭素原子、塩素原子又はシアノ基を表し、
Ｒ7はトリフルオロメチル基、臭素原子又は塩素原子を表し、
Ｒ8は水素原子、メチル基又はアセチルアミノ基を表し、
Ｒ9及びＲ10は互いに独立して、未置換であるか又はシアノ基若しくはアシルオキシ基で置換された炭素原子数１乃至４のアルキル基を表し、該炭素原子数１乃至４のアルキル基であるＲ9及びＲ10の一方は、シアノ基又はアシルオキシ基で置換されている。）で表される少なくとも１種の染料；及び
（Ｃ）下式
【化３】
2015533879.tif 000026
（式中、
Ｒ11はフッ素原子、トリフルオロメチル基、トリフルオロメトキシ基、トリフルオロメチルスルホニル基又はシアノ基を表し、
Ｒ12及びＲ13は互いに独立して、水素原子、炭素原子数１乃至１２のアルキル基、炭素原
子数１乃至１２のアルコキシ基、ハロゲン原子、シアノ基、ニトロ基、トリフルオロメチル基又は−ＣＯＯＲ16（式中、Ｒ16は、未置換であるか又は１個以上の炭素原子数１乃至１２のアルコキシ基、ヒドロキシ基、アミノ基若しくはハロゲン原子で置換された炭素原子数１乃至１２のアルキル基を表す。）を表し、及び
基Ｒ14及びＲ15の一方は、水素原子或いは未置換であるか又はヒドロキシ基、炭素原子数１乃至４のアシルオキシ基、炭素原子数１乃至６のアルコキシ基、炭素原子数１乃至４のアシルオキシ−炭素原子数１乃至６のアルコキシ基若しくはヒドロキシ−炭素原子数１乃至６のアルコキシ基で置換された炭素原子数１乃至６のアルキル基を意味し、基Ｒ14及びＲ15の他の一方は、未置換であるか又はフェノキシ−炭素原子数１乃至６のアルコキシ基で置換された炭素原子数１乃至６のアルキル基或いは未置換であるか又は炭素原子数１乃至１２のアルキル基、炭素原子数１乃至１２のアルコキシ基及びトリフルオロメチル基からなる群からの１個以上の置換基で置換されたフェニル基を意味する。）で表される少なくとも１種の染料
を含む水性インク。
【請求項２】
（Ｄ）下式
【化４】
2015533879.tif 000027
（式中、
基Ｒ17及びＲ18の一方は、ヒドロキシ基を意味し、基Ｒ17及びＲ18の他の一方は、アミノ基又はニトロ基を意味し、
Ｒ19は水素原子或いは未置換であるか又はヒドロキシ基及び炭素原子数１乃至６のアルコキシ基からなる群からの１個以上の置換基で置換されたフェニル基を表し、及び
Ｒ20は水素原子或いは未置換であるか又はヒドロキシ基、ハロゲン原子、炭素原子数１乃至６のアルコキシ基又は未置換であるか又はヒドロキシ基で置換された炭素原子数１乃至６のアルキル基からなる群からの１個以上の置換基で置換されたフェニル基を意味する。）で表される少なくとも１種の染料を更に含む請求項１記載の水性インク。
【請求項３】
Ｒ1がエチル基、ｎ−プロピル基、イソブチル基、ｎ−ヘキシル基、２−エチルヘキシル基又は３−イソプロポキシプロピル基を表し、Ｒ2、Ｒ3、Ｒ4及びＲ5がそれぞれ水素原子を表す請求項１又は請求項２記載の水性インク。
【請求項４】
Ｒ1がｎ−プロピル基、ｎ−ブチル基、イソブチル基又はｎ−ヘキシル基を表す請求項１乃至３の何れか１項に記載の水性インク。
【請求項５】
Ｒ6が臭素原子又は塩素原子を表し、
Ｒ7がトリフルオロメチル基又は塩素原子を表し、
Ｒ8が水素原子又はアセチルアミノ基を表し、及び
Ｒ9及びＲ10はそれぞれシアノエチル基を表す請求項１乃至４の何れか１項に記載の水性インク。
【請求項６】
染料成分（Ｃ）が下式
【化５】
2015533879.tif 000028
（式中、
Ｒ11はトリフルオロメチル基又はシアノ基を表し、
Ｒ12及びＲ13は互いに独立して、水素原子、フッ素原子、塩素原子、臭素原子、シアノ基又はニトロ基を表し、
基Ｒ14及びＲ15の一方は、水素原子、２−ヒドロキシエチル基又は式−（ＣＨ2）2−Ｏ−（ＣＨ2）2−ＯＨで表される基を意味し、基Ｒ14及びＲ15の他の一方は、式−（ＣＨ2）3−Ｏ−（ＣＨ2）2−Ｏ−フェニルで表される基或いは未置換であるか又はトリフルオロメチル基、ｎ−プロピル基、ｎ−ブチル基及びｎ−ブトキシ基からなる群からの１個以上の置換基で置換されたフェニル基を意味する。）で表される少なくとも１種の染料である請求項１乃至５の何れか１項に記載の水性インク。
【請求項７】
染料成分（Ｄ）が下式
【化６】
2015533879.tif 000029
からなる群からの少なくとも１種の染料である請求項１乃至６の何れか１項に記載の水性インク。
【請求項８】
インク組成物中の分散染料の総質量に基づいて、
０．７０乃至１．００質量％の染料成分（Ａ）、
０．８５乃至１．１５質量％の染料成分（Ｂ）、
１．１０乃至１．５０質量％の染料成分（Ｃ）、及び
３．１５乃至４．３５質量％の染料成分（Ｄ）
を含む請求項１乃至７の何れか１項に記載の水性インク。
【請求項９】
半合成又は合成の疎水性織物繊維材料を印刷するためのインクジェット印刷方法であって、前記繊維材料が請求項１に記載の水性インクで印刷される方法。
【請求項１０】
ポリエステル繊維材料又はポリエステルと他の繊維のブレンドを含む繊維材料が印刷される請求項９記載のインクジェット印刷方法。
【発明の詳細な説明】
【技術分野】
【０００１】
本発明は、分散染料の混合物を含む水性インク及びインクジェット印刷方法により半合成又は合成の疎水性織物繊維材料を前記インクで印刷するための方法に関する。
【背景技術】
【０００２】
インクジェット印刷のインク及び方法は、既に、織物産業において数年間使用されてきた。それらは、他の慣用の印刷ステンシルの製造無しに行うことを可能とし、そのため、経費及び時間の両方において、かなりの節約を行うことを可能とする。原型の製造に関連して、特に、それは遥かに短い時間内で、変化に対応することを可能とする。
【発明の概要】
【発明が解決しようとする課題】
【０００３】
適当なインクジェット印刷インクは特に、最適な性能特性が必要である。この関連で、使用されるインクの粘度、安定性、表面張力及び伝導度のような特性が言及され得る。更に、例えば、色強度、繊維−染料結合安定性及び湿潤堅牢度特性の観点から、増大した要求性が、得られた印刷物の質において設定されている。しかしながら、そのようなインクは、特に、そのようなインクで調製された印刷物の高温光堅牢度及び色強度の点で、最高の需要を必ずしも十分に満足するものでないことが示されている。従って、高温光堅牢度を有し、同時に良好な全周堅牢度特性を示す着色力が強い印刷物、特に黒色印刷物を産出する新規な水性インクに対する要求が存在する。上記の点に関して優れた特性有する水性印刷インク、特に、自動車産業における車内の裏張り及びシートカバーのためのインク及び、同時に、アウトドアのような他の用途のためのインク及び旗及び幕のためのインクが要求される。
【課題を解決するための手段】
【０００４】
従って、本発明は、
（Ａ）下式
【化１】
2015533879.tif 000003
（式中、
Ｒ1は炭素原子数１乃至１２のアルキル基或いは１個以上の酸素原子及び／又は−ＣＯＯ−基により中断された炭素原子数２乃至１２のアルキル基を表し、及び
Ｒ2、Ｒ3、Ｒ4及びＲ5は互いに独立して、水素原子、炭素原子数１乃至１２のアルキル基、塩素原子、臭素原子、ヒドロキシ基又はアミノ基を表す。）で表される少なくとも１種の染料；
（Ｂ）下式
【化２】
2015533879.tif 000004
（式中、
Ｒ6は水素原子、臭素原子、塩素原子又はシアノ基を表し、
Ｒ7はトリフルオロメチル基、臭素原子又は塩素原子を表し、
Ｒ8は水素原子、メチル基又はアセチルアミノ基を表し、
Ｒ9及びＲ10は互いに独立して、未置換であるか又はシアノ基若しくはアシルオキシ基で置換された炭素原子数１乃至４のアルキル基を表し、該炭素原子数１乃至４のアルキル基であるＲ9及びＲ10の一方は、シアノ基又はアシルオキシ基で置換されている。）で表される少なくとも１種の染料；及び
（Ｃ）下式
【化３】
2015533879.tif 000005
（式中、
Ｒ11はフッ素原子、トリフルオロメチル基、トリフルオロメトキシ基、トリフルオロメチルスルホニル基又はシアノ基を表し、
Ｒ12及びＲ13は互いに独立して、水素原子、炭素原子数１乃至１２のアルキル基、炭素原子数１乃至１２のアルコキシ基、ハロゲン原子、シアノ基、ニトロ基、トリフルオロメチル基又は−ＣＯＯＲ16（式中、Ｒ16は、未置換であるか又は１個以上の炭素原子数１乃至１２のアルコキシ基、ヒドロキシ基、アミノ基若しくはハロゲン原子で置換された炭素原子数１乃至１２のアルキル基を表す。）を表し、及び
基Ｒ14及びＲ15の一方は、水素原子或いは未置換であるか又はヒドロキシ基、炭素原子数１乃至４のアシルオキシ基、炭素原子数１乃至６のアルコキシ基、炭素原子数１乃至４のアシルオキシ−炭素原子数１乃至６のアルコキシ基若しくはヒドロキシ−炭素原子数１乃至６のアルコキシ基で置換された炭素原子数１乃至６のアルキル基を意味し、基Ｒ14及びＲ15の他の一方は、未置換であるか又はフェノキシ−炭素原子数１乃至６のアルコキシ基で置換された炭素原子数１乃至６のアルキル基或いは未置換であるか又は炭素原子数１乃至１２のアルキル基、炭素原子数１乃至１２のアルコキシ基及びトリフルオロメチル基からなる群からの１個以上の置換基で置換されたフェニル基を意味する。）で表される少なくとも１種の染料を含む水性インクに関する。
【発明を実施するための形態】
【０００５】
別の態様において、上記で示される染料成分（Ａ）、（Ｂ）及び（Ｃ）を含む水性インクは、
（Ｄ）下式
【化４】
2015533879.tif 000006
（式中、
基Ｒ17及びＲ18の一方は、ヒドロキシ基を意味し、基Ｒ17及びＲ18の他の一方は、アミノ基又はニトロ基を意味し、
Ｒ19は水素原子或いは未置換であるか又はヒドロキシ基及び炭素原子数１乃至６のアルコキシ基からなる群からの１個以上の置換基で置換されたフェニル基を表し、及び
Ｒ20は水素原子或いは未置換であるか又はヒドロキシ基、ハロゲン原子、炭素原子数１乃至６のアルコキシ基又は未置換であるか又はヒドロキシ基で置換された炭素原子数１乃至６のアルキル基からなる群からの１個以上の置換基で置換されたフェニル基を意味する。）で表される少なくとも１種の染料を更に含む。
【０００６】
“１個以上の酸素原子及び／又は−ＣＯＯ−基により中断された炭素原子数２乃至１２のアルキル基”を意味するＲ1は、例えば、２−メトキシエチル基、２−エトキシエチル基、２−（２−エトキシエトキシ）エチル基、−ＣＨ2ＣＨ2ＯＣＨ2ＣＨ2ＯＣＨ3、−ＣＨ2ＣＨ2ＯＣＨ2ＣＨ2ＯＣＨ2ＣＨ2ＯＣＨ3、−ＣＨ2ＣＨ2ＯＣＨ2ＣＨ2ＯＣＨ2ＣＨ2ＯＣ2Ｈ5、−ＣＨ2ＣＨ2ＣＯＯＣＨ3、−ＣＨ2ＣＨ2ＣＯＯＣ2Ｈ5、−ＣＨ2ＣＨ2ＣＨ2ＣＨ2ＣＯＯＣＨ3、−ＣＨ2ＣＨ2ＣＨ2ＣＨ2ＣＯＯＣ2Ｈ5、−ＣＨ2ＣＨ2ＯＣＨ2ＣＨ2ＣＯＯＣＨ3又は−ＣＨ2ＣＨ2ＯＣＨ2ＣＨ2ＣＯＯＣ2Ｈ5である。
【０００７】
“炭素原子数１乃至１２のアルキル基”を意味するＲ1、Ｒ2、Ｒ3、Ｒ4、Ｒ5、Ｒ12、Ｒ13、Ｒ14、Ｒ15及びＲ16のそれぞれ又は“フェニル基を意味するＲ14及びＲ15に結合する何れかの“炭素原子数１乃至１２のアルキル基”は、直鎖又は分岐鎖であり得る。
アルキル基の例は、メチル基、エチル基、ｎ−プロピル基、イソプロピル基、ｎ−ブチル基、イソブチル基、第二ブチル基、第三ブチル基、ｎ−ペンチル基、ネオペンチル基、ｎ−ヘキシル基、ｎ−ヘプチル基、ｎ−オクチル基、イソオクチル基、２-エチルヘキシル基、ｎ−デシル基及びｎ−ドデシル基である。
【０００８】
“炭素原子数１乃至４のアルキル基”を意味するＲ9及びＲ10のそれぞれは、直鎖又は分岐鎖、例えば、メチル基、エチル基、ｎ−プロピル基、イソプロピル基、ｎ−ブチル基、イソブチル基、第二ブチル基及び第三ブチル基であり得、炭素原子数１乃至４のアルキル基であるＲ9及びＲ10の少なくとも一方は、シアノ基、アシルオキシ基、例えば、アセチルオキシ基又はプロピオニルオキシ基、好ましくはアセチルオキシ基で置換される。
【０００９】
“炭素原子数１乃至１２のアルコキシ基”を意味するＲ12及びＲ13のそれぞれ又は“フェニル基”を意味するＲ14及びＲ15に結合する何れかの“炭素原子数１乃至１２のアルコキシ基”は、直鎖又は分岐鎖であり得る。アルコキシ基の例は、メトキシ基、エトキシ基、ｎ−プロポキシ基、イソプロポキシ基、ｎ−ブトキシ基、イソブトキシ基、第二ブトキシ基、第三ブトキシ基、ｎ−ペンチルオキシ基、ネオペンチルオキシ基、ｎ−ヘキシルオキシ基、ｎ−ヘプチルオキシ基、ｎ−オクチルオキシ基、イソオクチルオキシ基、ｎ−デシルオキシ基及びｎ−ドデシルオキシ基である。
【００１０】
ハロゲン置換基を意味するＲ12及びＲ13のそれぞれは、例えば、フッ素原子、塩素原子又は臭素原子、特に、塩素原子又は臭素原子である。
【００１１】
“炭素原子数１乃至６のアルキル基”を意味するＲ14及びＲ15のそれぞれは、未置換であるか又はヒドロキシ基、炭素原子数１乃至４のアシルオキシ基、炭素原子数１乃至６のアルコキシ基、炭素原子数１乃至４のアシルオキシ−炭素原子数１乃至６のアルコキシ基、ヒドロキシ−炭素原子数１乃至６のアルコキシ基又はフェノキシ−炭素原子数１乃至６のアルコキシ基で置換され得る。置換されたアルキル基は、例えば、２−ヒドロキシエチル基、２−ヒドロキシプロピル基、−（ＣＨ2）2−Ｏ−（ＣＨ2）2−ＯＨ、−（ＣＨ2）3−Ｏ−（ＣＨ2）4−ＯＨ、−（ＣＨ2）2−Ｏ−アシル、−（ＣＨ2）3−Ｏ−アシル、−ＣＨ2−ＣＨ（ＣＨ3）−Ｏ−アシル、−（ＣＨ2）6−Ｏ−アシル、−（ＣＨ2）2−Ｏ−（ＣＨ2）2−Ｏアシル、−（ＣＨ2）3−Ｏ−（ＣＨ2）4−Ｏアシル、−（ＣＨ2）2−Ｏ−（ＣＨ2）2−Ｏフェニル、−（ＣＨ2）3−Ｏ−（ＣＨ2）2−Ｏフェニル、−（ＣＨ2）3−Ｏ−（ＣＨ2）4−Ｏフェニル、２−メトキシエチル基、３−メトキシプロピル基、２−エトキシエチル基及び３−エトキシプロピル基（アシルは、例えば、ホルミル、アセチル又はプロピオニルを意味し、フェニルはＣ6Ｈ5を意味する）である。
【００１２】
“炭素原子数１乃至１２のアルキル基”を意味するＲ16は、未置換であるか又は炭素原子数１乃至１２のアルコキシ基、ヒドロキシ基、アミノ基又はハロゲン原子の１個以上で置換され得る。置換されたアルキル基は、例えば、２−ヒドロキシエチル基、２−ヒドロキシプロピル基、４−ヒドロキシブチル基、２−アミノエチル基、２−アミノプロピル基、４−アミノブチル基、２−クロロエチル基、２−ブロモエチル基、４−クロロブチル基、２−メトキシエチル基、３−メトキシプロピル基、２−エトキシエチル基及び３−エトキシプロピル基である。
【００１３】
フェニル基を意味するＲ20に結合する炭素原子数１乃至６のアルキル基は、例えば、メチル基、エチル基、ｎ−プロピル基、イソプロピル基、ｎ−ブチル基、イソブチル基、第二ブチル基、第三ブチル基、ｎ−ペンチル基、ネオペンチル基又はｎ−ヘキシル基であり、それらの各々は未置換であるか又はヒドロキシ基で置換される。
【００１４】
フェニル基を意味するＲ19及びＲ20に結合する炭素原子数１乃至６のアルコキシ基は、メトキシ基、エトキシ基、ｎ−プロポキシ基、イソプロポキシ基、ｎ−ブトキシ基、イソブトキシ基、第二ブトキシ基、第三ブトキシ基、ｎ−ペンチルオキシ基、ネオペンチルオキシ基又はｎ−ヘキシルオキシ基である。
【００１５】
フェニル基を意味するＲ20に結合するハロゲン原子は、例えば、フッ素原子、塩素原子又は臭素原子であり、特に、塩素原子又は臭素原子である。
【００１６】
好ましくは、Ｒ1は、エチル基、ｎ−プロピル基、ｎ−ブチル基、イソブチル基、ｎ−ヘキシル基、２-エチルヘキシル基又は３−イソプロポキシプロピル基であり、特には、ｎ−プロピル基、ｎ−ブチル基、イソブチル基又はｎ−ヘキシル基である。
好ましくは、Ｒ2及びＲ3は、同一であり且つそれぞれは水素原子、塩素原子又は臭素原子である。
好ましくは、Ｒ4及びＲ5は、互いに独立して、水素原子又は塩素原子を表す。
特別の態様において、Ｒ2、Ｒ3、Ｒ4及びＲ5は、それぞれ水素原子である。
【００１７】
染料成分（Ａ）として、Ｒ1が、エチル基、ｎ−プロピル基、ｎ−ブチル基、イソブチル基、ｎ−ヘキシル基、２-エチルヘキシル基又は３−イソプロポキシプロピル基であり、Ｒ2、Ｒ3、Ｒ4及びＲ5が、上記で定義され且つ好ましいものであり、特に、Ｒ2、Ｒ3、Ｒ4及びＲ5の各々が水素原子である、式（１）で表される少なくとも１種の染料を含むインクが好ましい。
【００１８】
好ましくは、Ｒ6は、臭素原子、塩素原子又はシアノ基であり、特に、臭素原子又は塩素原子であり、より特には、臭素原子である。
好ましくは、Ｒ7は、トリフルオロメチル基又は塩素原子であり、特に、トリフルオロメチル基である。
好ましくは、Ｒ8は、水素原子又はアセチルアミノ基であり、特に、水素原子である。
好ましくは、Ｒ9はシアノエチル基である。
好ましくは、Ｒ10はシアノエチル基である。
【００１９】
染料成分（Ｂ）として、Ｒ6が、臭素原子又は塩素原子であり、より特には、臭素原子であり、Ｒ7が、トリフルオロメチル基又は塩素原子であり、特に、トリフルオロメチル基であり、Ｒ8が、水素原子又はアセチルアミノ基であり、特に、水素原子であり、Ｒ9及びＲ10がシアノエチル基である、式（２）で表される少なくとも１種の染料を含むインクが好ましい。
【００２０】
好ましくは、Ｒ11は、フッ素原子、トリフルオロメチル基又はシアノ基であり、特に、トリフルオロメチル基又はシアノ基であり、より特には、トリフルオロメチル基である。
好ましくは、Ｒ12及びＲ13は、互いに独立して、水素原子、フッ素原子、塩素原子、臭素原子、シアノ基又はニトロ基を表し、特に、水素原子又はニトロ基を表す。
【００２１】
好ましくは、基Ｒ14及びＲ15の一方は、水素原子或いは未置換であるか又はヒドロキシ基若しくはヒドロキシ−炭素原子数１乃至６のアルコキシ基で置換された炭素原子数１乃至６のアルキル基を意味し、基Ｒ14及びＲ15の他の一方は、未置換であるか又はフェノキシ−炭素原子数１乃至６のアルコキシ基で置換された炭素原子数１乃至６のアルキル基或いは未置換であるか又はトリフルオロメチル基、ｎ−プロピル基、ｎ−ブチル基及びｎ−ブトキシ基からなる群からの１個以上の置換基で置換されたフェニル基を意味する。
【００２２】
特に、基Ｒ14及びＲ15の一方は、水素原子、２−ヒドロキシエチル基又は式−（ＣＨ2）2−Ｏ−（ＣＨ2）2−ＯＨで表される基を意味し、基Ｒ14及びＲ15の他の一方は、式−（ＣＨ2）3−Ｏ−（ＣＨ2）2−Ｏ−フェニルで表される基或いは未置換であるか又はトリフルオロメチル基、ｎ−プロピル基、ｎ−ブチル基及びｎ−ブトキシ基からなる群からの１個以上の置換基で置換されたフェニル基を意味し、より特には、基Ｒ14及びＲ15の一方は、水素原子を意味し、基Ｒ14及びＲ15の他の一方は、フェニル基を意味する。
【００２３】
式（３）の染料が、下式
【化５】
2015533879.tif 000007
（式中、基Ｒ11、Ｒ12、Ｒ13、Ｒ14及びＲ15は、上記の意味及び好ましい意味を有する。）の染料により表されるインクが好ましい。
【００２４】
染料成分（Ｃ）として、式（３ａ）で表される染料の少なくとも１種を含むインクが好ましく、ここで、
Ｒ11は、トリフルオロメチル基又はシアノ基を表し、
Ｒ12及びＲ13は、互いに独立して、水素原子、フッ素原子、塩素原子、臭素原子、シアノ基又はニトロ基を表し、特に、水素原子又はニトロ基を表し、
基Ｒ14及びＲ15の一方は、水素原子、２−ヒドロキシエチル基又は式−（ＣＨ2）2−Ｏ−（ＣＨ2）2−ＯＨで表される基を意味し、基Ｒ14及びＲ15の他の一方は、式−（ＣＨ2）3−Ｏ−（ＣＨ2）2−Ｏ−フェニルで表される基或いは未置換であるか又はトリフルオロメチル基、ｎ−プロピル基、ｎ−ブチル基及びｎ−ブトキシ基からなる群からの１個以上の置換基で置換されたフェニル基を意味し、より特には、基Ｒ14及びＲ15の一方は、水素原子を意味し、基Ｒ14及びＲ15の他の一方は、フェニル基を意味する。
【００２５】
好適な染料成分（Ａ）は、例えば、式（１０１）乃至（１２７）で表される染料である。
【化６】
2015533879.tif 000008
【化７】
2015533879.tif 000009
【化８】
2015533879.tif 000010
【化９】
2015533879.tif 000011
【００２６】
本発明に従うインクは、染料成分（Ａ）として、好ましくは式（１）で表される２種又は３種の異なる染料及び特に３種の異なる染料、例えば、式（１０１）、（１０２）及び／又は（１０３）で表される染料を含む。
【００２７】
式（１）で表される染料は、それ自身が既知であるか又はそれらは既知化合物と同様にして製造され得る。
式（１）で表される染料は、例えば、欧州特許第４３９３７号明細書及び米国特許第７５４４２１７号明細書中に記載されている。
【００２８】
好適な染料成分（Ｂ）は、例えば、式（２０１）乃至（２１１）で表される染料である。
【化１０】
2015533879.tif 000012
【化１１】
2015533879.tif 000013
【００２９】
本発明に従うインクは、染料成分（Ｂ）として、例えば、式（２０１）又は（２０２）で表される染料を含む。
【００３０】
式（２）で表される染料は、それ自身が既知であるか又はそれらは既知化合物と同様にして製造され得る。
式（２）で表される染料は、例えば、米国特許第６５４０７９４号明細書中に記載されている。
【００３１】
好適な染料成分（Ｃ）は、例えば、式（３０１）乃至（３２５）で表される染料である。
【化１２】
2015533879.tif 000014
【化１３】
2015533879.tif 000015
【化１４】
2015533879.tif 000016
【化１５】
2015533879.tif 000017
【化１６】
2015533879.tif 000018
【００３２】
本発明に従うインクは、染料成分（Ｃ）として、例えば、式（３０１）及び／又は（３０２）で表される染料或いは式（３０３）及び／又は（３０４）で表される染料を含む。
本発明に従うインクは、染料成分（Ｃ）として、式（３）で表される２種の異なる染料、例えば、式（３０１）及び（３０２）で表される染料又は式（３０３）及び（３０４）で表される染料を含む。
【００３３】
式（３）で表される染料は、それ自身が既知であるか又はそれらは既知化合物と同様にして製造され得る。
式（３）で表される染料は、例えば、国際公開第２０１２／０８４４１７号パンフレット中に記載されている。
【００３４】
好適な染料成分（Ｄ）は、例えば、式（４０１）乃至（４０６）で表される化合物であ
る。
【化１７】
2015533879.tif 000019
【００３５】
幾つかの態様において、水性インクは、染料成分（Ｄ）として、式（４０１）及び（４０２）で表される染料、式（４０３）及び（４０４）で表される染料又は式（４０３）及び（４０５）で表される染料を含み、好ましくは、式（４０１）及び（４０２）で表される染料を含む。
【００３６】
式（４）で表される染料は、それ自身が既知であるか又はそれらは既知化合物と同様にして製造され得る。
【００３７】
本発明に従うインクは、色あい又は他の特性を調節するために、１種以上の更なる染料成分、例えば、１種又は２種の染料成分を含み得る。そのような好適な染料成分は、例えば、下式で表される染料である。
【化１８】
2015533879.tif 000020
【００３８】
式（５）及び（６）で表される染料は、それ自身が既知であるか又はそれらは既知化合物と同様にして製造され得る。
【００３９】
インクは通常、インク組成物の総質量に基づいて、１乃至２０質量％、特に、１乃至１０質量％、とりわけ、１乃至８質量％の分散染料の総含有量を有する。
【００４０】
それぞれの分散染料の含有量は、所望の色合いに依存する。好適な黒色又は灰色のインクは、例えば、インク組成物中の分散染料の総質量に基づいて、
染料成分（Ａ）の０．７０乃至１．００質量％、
染料成分（Ｂ）の０．８５乃至１．１５質量％、
染料成分（Ｃ）の１．１０乃至１．５０質量％、及び
染料成分（Ｄ）の３．１５乃至４．３５質量％
を含む。
【００４１】
本発明のインクの範囲内において、分散染料は、微細分散形態において有利である。この目的のために、分散染料は、０．１乃至１０ミクロン、好ましくは、１乃至５ミクロン、特に好ましくは、０．５乃至２ミクロンの平均粒径に粉砕される。粉砕は分散剤の存在下で行われ得る。例えば、乾燥された分散染料は、分散剤と共に粉砕されるか又は分散剤と共にペースト形態に練り込まれ、必要なら、減圧下において又は噴霧により乾燥される。結果として得られる調製物は、水及び、必要なら、更なる助剤の付加により本発明のインクを調製するために使用され得る。
【００４２】
好適な分散剤は、
（ａ）下式
【化１９】
2015533879.tif 000021
（式中、
Ｘは、無機の酸基、例えば、硫酸又は、好ましくはリン酸のような酸素−含有酸を表すか、さもなければ有機酸の基を表し、
Ｙは、炭素原子数１乃至１２のアルキル基、アリール基又はアラルキル基を表し、
“アルキレン”は、エチレン基又はプロピレン基を表し、
ｍは１乃至４を表し
ｎは４乃至５０を表す。）で表されるアルキレンオキシド付加物の酸性エステル又はその塩、
（ｂ）ポリスチレンスルホネート
（ｃ）脂肪酸タウリド
（ｄ）アルキル化ジフェニルオキシドモノ−又はジスルホネート
（ｅ）ポリカルボン酸エステルのスルホネート
（ｆ）エチレンオキシド及び／又はプロピレンオキシドと、それぞれ８ないし２２個の炭素原子を有する脂肪アミン、脂肪アミド、脂肪酸又は脂肪アルコールとの、或いは、３ないし６個の炭素原子を有する３価乃至６価のアルカノールとの、１ないし６０、好ましくは２ないし３０モルの付加物であって、前記付加物は有機ジカルボン酸又は無機多塩基酸を伴う酸性エステルに変換される。
（ｇ）リグニンスルホネート
（ｈ）ナフタレンスルホネート、及び
（ｉ）ホルムアルデヒド縮合物
からなる群からのアニオン性分散剤である。
【００４３】
リグニンスルホネート（ｇ）として、主にそれらのリグニンスルホネート又はそれらのアルカリ金属塩から作られたものが使用され、それらのスルホ基の含有量は、２５質量％を超えない。好ましいリグニンスルホネートは、５乃至１５質量％のスルホ基の含有量を有するものである。好適なホルムアルデヒド縮合物（ｉ）の例は、リグニンスルホネート及び／又はフェノールとホルムアルデヒドとの縮合物、ホルムアルデヒドと芳香族スルホン酸との縮合物、例えば、ジトルイルエーテルスルホネートとホルムアルデヒドとの縮合物、ナフタレンスルホン酸とホルムアルデヒドとの、及び／又は、ナフトール−若しくはナフチルアミノスルホン酸とホルムアルデヒドとの縮合物、フェノールスルホン酸及び／又はスルホン化ジヒドロキシジフェニルスルホン及びフェノール又はクレゾールとホルムアルデヒド及び／又はウレアとの縮合物、及び、ジフェニルオキシドジスルホン酸誘導体とホルムアルデヒドとの縮合物である。
【００４４】
興味深い生成物（ｉ）は、
−例えば、米国特許第４，３８６，０３７号明細書中に記載されているような、ジトルイルエーテルスルホネートとホルムアルデヒドとの縮合物、
−例えば、米国特許第３，９３１，０７２号明細書中に記載されているような、フェノール及びホルムアルデヒドとリグニンスルホネートとの縮合物、
−２−ナフトール−６−スルホン酸、クレゾール、亜硫酸水素ナトリウム及びホルムアルデヒドの縮合物［ｃｆ．  ＦＩＡＴ  Ｒｅｐｏｒｔ  １０１３（１９４６）］、及び
−例えば、米国特許第４，２０２，８３８号明細書中に記載されているような、ジフェニル誘導体とホルムアルデヒドとの縮合物である。
【００４５】
１態様において、化合物（ｉ）は下式
【化２０】
2015533879.tif 000022
（式中、
Ｂは直接結合又は酸素原子を表し、
Ａは芳香族化合物の基を表し、環の炭素原子によりメチレン基に結合され、
Ｍは、水素原子又は塩−形成性カチオン、例えば、アルカリ金属、アルカリ土類金属又はアンモニウムを表し、及び
ｑ及びｐは互いに独立して、１乃至４の数を表す。）で表される化合物である。
【００４６】
別の態様において、化合物（ｉ）は下式
【化２１】
2015533879.tif 000023
(式中、（ＳＯ3Ｎａ）1,4-1,6は、１．４乃至１．６の平均スルホン化度を意味する。)で表される、クロロメチルビフェニル異性体混合物とナフタレンのスルホン化縮合物をベースとする化合物である。
【００４７】
上記の分散剤は、既知であり且つ市販で入手可能できるか又は周知の方法により既知化合物と同様にして調製され得る。
【００４８】
分散染料及び分散剤とは別に、インクは粘度を調節するために増粘剤を含み得る。天然又は合成由来の増粘剤、例えば、市販のアルギン酸増粘剤、デンプンエーテル又はローカストビーンガムエーテル、特に、アルギン酸ナトリウムそれ自身又は変性セルロースとの、とりわけ、好ましくは２０乃至２５質量％のカルボキシメチルセルロースとの混合物が考慮される。
【００４９】
本発明のインクにおいて、合成増粘剤、例えば、ポリ（メタ）アクリル酸又はポリ（メタ）クリルアミドをベースとする合成増粘剤の使用が好ましい。
【００５０】
本発明の目的のために、１乃至４０ｍＰａ．ｓ（ミリパスカル  秒）、特に、１乃至２０ｍＰａ．ｓ及び、とりわけ、１乃至１０ｍＰａ．ｓの粘度を有するインクが好ましい。
【００５１】
インクはまた、緩衝物質、例えば、ホウ砂、ホウ酸塩又はクエン酸塩も含み得る。例としては、ホウ砂、ホウ酸ナトリウム、四ホウ酸ナトリウム及びクエン酸ナトリウムがある。それらは、例えば、４乃至１０、好ましくは、５ないし８のｐＨを与えるために、イン
クの総質量に基づいて、特に、０．１乃至３質量％、とりわけ、０．１乃至１質量％の量で使用される。
【００５２】
インク中に存在し得る更なる添加剤は、界面活性剤、再分散剤及び保湿剤である。
【００５３】
好適な界面活性剤は、市販で入手可能なアニオン性又は非−イオン性界面活性剤を含む。ベタイン１水和物は、再分散剤の例として言及され得る。保湿剤として、インク組成物の総質量に基づいて、０．１乃至４０質量％、特に、２乃至３５質量％の量で、乳酸ナトリウム（有利には、５０乃至６０％の濃度の水溶液の形態において）及びグリセロール及び／又はプロピレングリコールの混合物を使用することが好ましい。
【００５４】
所望ならば、インクはまた、ブチロラクトン又はリン酸水素ナトリウムのような酸供与体、保存料、細菌及び／又はカビの成長を阻害する物質、泡抑制剤、金属イオン封鎖剤、乳化剤、水不溶性溶媒、酸化剤又は脱ガス剤も含み得る。
【００５５】
保存料として、ホルムアルデヒド産生剤、例えば、パラホルムアルデヒド及びトリオキサン、特に、水性の、約３０乃至４０質量％のホルムアルデヒド溶液、イミダゾール化合物、例えば、２−（４−チアゾリル）−ベンズイミダゾール、チアゾール化合物、例えば、１，２−ベンズイソチアゾリン−３−オン又は２−ｎ−オクチル−イソチアゾリン−３−オン、ヨウ素化合物、ニトリル、フェノール、ハロアルキルチオ化合物又はピリジン誘導体、特に、１，２−ベンズイソチアゾリン−３−オン又は２−ｎ−オクチル−イソチアゾリン−３−オンが考慮される。
【００５６】
好適な保存料は、例えば、ジプロピレングリコール中の１，２−ベンズイソチアゾリン−３−オンの２０質量％溶液（Ｐｒｏｘｅｌ（登録商標）ＧＸＬ）である。
【００５７】
好適な金属イオン封鎖剤は、例えば、ニトリロ三酢酸ナトリウム、エチレンジアミン四酢酸ナトリウム及び、特に、ポリメタリン酸ナトリウム、特別に、ヘキサメタリン酸ナトリウムである。
【００５８】
好適な乳化剤は、特に、アルキレンオキシドと脂肪酸との付加物であり、とりわけ、オレイルアルコールとエチレンオキシドとの付加物である。
【００５９】
好適な水不溶性溶媒は、高沸点飽和炭化水素、特に、約１６０乃至２１０℃の沸点範囲を有するパラフィン（塗料及びワニス製造業者のナフサとして既知）である。
【００６０】
好適な酸化剤は、例えば、芳香族ニトロ化合物、特に、芳香族モノ−又はジニトロカルボン酸又は−スルホン酸であり、それはアルキレンオキシド付加物の形態であり得るが、とりわけ、ニトロベンゼンスルホン酸である。
【００６１】
好適な脱ガス剤は、例えば、高沸点溶媒、特に、テレピン油、高級アルコール、好ましくは炭素原子数８乃至１０のアルコール、テルペンアルコール又は鉱油及び／又はシリコン油をベースとする脱ガス剤、特に、約１５ないし２５質量％の鉱油及びシリコン油の混合物と約７５乃至８５質量％の２−エチル−ｎ−ヘキサノールのような炭素原子数８のアルコールから構成される市販の調合物である。
【００６２】
インクは、求められる量の水の中で各構成成分を混合することにより、通常の様式で調製され得る。
【００６３】
インクは、例えば、分散染料成分を分散剤と共に攪拌すること及び結果として得られた
混合物を、０．２ないし１．０μｍの平均粒径に相当する規定された搗精度まで湿式ミル中で粉砕することにより製造される。続いて、濃縮されたミルベース（例えば、適当な増粘剤、分散剤、コポリマー、界面活性剤、保湿剤、再分散剤、金属イオン封鎖剤及び／又は保存料、そしてまた水の使用を伴うか又は伴わない）が所望の濃度に調節される。存在するあらゆる粗断片を除去するために、約１μｍのマイクロ篩を通してすぐに使える（ｒｅａｄｙ−ｔｏ−ｕｓｅ）インクの濾過を行うことは有利であり得る。
【００６４】
織物繊維材料を印刷するための本発明の方法は、それ自体が既知で且つ織物印刷のために好適であるインクジェット印刷機を用いて実施され得る。
【００６５】
インクジェット印刷方法において、インクの個々の滴は、制御下において基材上にノズルから噴霧される。この関連で使用される方法は、主に、連続インクジェット方法及びドロップ・オン・デマンド（ｄｒｏｐ−ｏｎ−ｄｅｍａｎｄ）方法である。連続インクジェット方法の場合において、滴は連続的に生成され、印刷のために必要でない該滴は収集容器内へ回され、一般にリサイクルされる。一方、ドロップ・オン・デマンド方法の場合においては、滴は生成されて要求された場合に印刷のために使用される；即ち、滴は、印刷のために必要な場合にのみ生成される。滴の生成は、例えば、圧電インクジェットヘッドの手段により又は熱エネルギーの手段（バブルジェット（登録商標）として参照される）により、有利に行うことができる。本発明の方法のために、連続インクジェット方法又はドロップ・オン・デマンド方法で印刷するのが好ましい。
【００６６】
印刷後、繊維材料は、１５０℃までの温度、好ましくは、８０乃至１２０℃で乾燥される。
【００６７】
それに続く、繊維材料の固定は、通常、乾燥加熱の手段（熱固定）により又は大気圧下における過熱蒸気の手段（ＨＴ固定）により行われる。
固定は以下の条件で実施される：
−熱固定：１９０乃至２３０℃で１乃至２分間；
−ＨＴ固定：１７０乃至１９０℃で４乃至９分間。
【００６８】
本発明に従って使用されるインクは、種々のタイプの半合成の、及び、特には、合成の疎水性繊維材料、特には、織物材料に適用され得る。そのような半合成の又は合成の疎水性織物材料を含む織物ブレンドの織物材料は、本発明に従うインクを使用して同様に印刷され得る。
【００６９】
考慮される半合成の織物材料は、特に、セルロース２１／２アセテート及びセルローストリアセテートである。
【００７０】
合成の疎水性織物材料は、特に、線状の、芳香族ポリエステル、例えば、テレフタル酸又はイソフタル酸とグリコール、特に、エチレングリコールとのポリエステル、又はテレフタル酸と１，４−ビス（ヒドロキシメチル）シクロヘキサンとの縮合生成物；ポリカーボネート、例えば、α，α−ジメチル−４，４´−ジヒドロキシジフェニルメタンから得られるポリカーボネートとホスゲンとの縮合生成物及び塩化ポリビニルをベースとする繊維とポリアミドとの縮合生成物からなる。適合性はまた、ポリエステル−含有混合繊維材料；即ち、ポリエステルとポリアミド（例えば、ナイロン、ケブラー、ノーメックス、トロガミド）のような他の繊維とのブレンド及び／又はポリプロピレンのブレンドにも拡張される。
【００７１】
従って、本発明は、半合成の又は合成の疎水性織物繊維材料を印刷するためのインクジェット印刷方法におけるそのようなインクの使用にも関する。
【００７２】
特に、インクは、上記で挙げられたような、ポリエステル繊維材料又はポリエステルと他の繊維のブレンドを含む繊維材料の印刷のために使用される。
【００７３】
本発明に従うインクジェット印刷方法により印刷される好適な繊維はまた、ポリエステルの超極細繊維又はポリエステル−含有混合超極細繊維材料のような合成の疎水性織物材料の超極細繊維も含む。用語“超極細繊維”は、１デニール未満に評価される合成繊維を言及する。
【００７４】
本発明の方法により得られ得る、黒色及び灰色の印刷物のような印刷物は、良好な全周堅牢度特性を有する。特に、印刷物は、高い色強度及び高温光堅牢度（例えば、自動車産業において使用されるようなＶＤＡ  ７５２０２及びＳＡＥ  Ｊ１８８５に従って）を有する。本発明に従う対象物は、車内の裏張り、安全ベルト及びシートカバーを設計するための自動車産業において、同時に、旗及び幕並びにサイクリングジャージー及びパンツのようなアウトドア及びアスレチックウェアの印刷のためにも有用である。
【００７５】
以下に続く実施例が、本発明を説明するために提供される。これらの実施例において、特段の指定がない限り、温度はセ氏温度であり、部及びパーセントは質量に基づく。質量部と体積部の間の関係は、リットルに対するキログラムの関係である。
【実施例】
【００７６】
実施例１
０．９６質量部の、式（１０１）、（１０２）及び（１０３）で表される分散染料の等量の混合物、
０．９０質量部の式（２０１）で表される分散染料、
１．３８質量部の式（３０５）で表される分散染料、
３．８６質量部の、式（４０１）及び（４０２）で表される分散染料の等量の混合物、
０．４０質量部の式（５）で表される分散染料、
０．４０質量部の式（６）で表される分散染料、
を、３．５質量部のリグニンスルホネートをベースとする市販の分散剤と一緒に攪拌し、該混合物をその後、湿式粉砕において０．２乃至１．０μｍの平均粒径に粉砕した。
その後、インクは、
１．０質量部の市販の界面活性剤、
０．２質量部の市販の保存料、
３５．０質量部の市販の保湿剤、及び
５２．４質量部の脱イオン水
の徹底した攪拌を伴う添加により、インクの総質量に基づいて７．９０質量％の染料含量に調整された。
【００７７】
調製されたインクは、精密濾過され、ドロップ・オン・デマンド圧電技術によるインクジェット印刷機動作を使用して、ポリエステル布上及びポリエステル極細繊維布（Ａｌｃａｎｔａｒａ）上に印刷された。印刷物は乾燥され、１８０℃で８分間過熱蒸気で固定された。良好な全周堅牢度特性、特に、高温光堅牢度を有する高い色強度の深黒色印刷物が得られた。ＶＤＡ７５２０２に準じるポリエステル布及びポリエステル極細繊維布の高温光堅牢度は、それぞれ、４−５及び３−４（グレースケール）に格付けされた。
【００７８】
乾燥された印刷物が２００℃で１分間熱風で固定された場合、良好な全周堅牢度特性、特に、高温光堅牢度を有する高い色強度の深黒色印刷物が、同様に得られた。
【００７９】
実施例２
０．７２質量部の式（１０４）で表される分散染料、
１．０６質量部の式（２０２）で表される分散染料、
１．２２質量部の、式（３０３）及び（３０４）で表される分散染料の等量の混合物、
３．６２質量部の式（４０１）で表される分散染料、
０．４８質量部の式（５）で表される分散染料、
０．３３質量部の式（６）で表される分散染料、
を、２．８質量部のリグニンスルホネートを伴うフェノールとホルムアルデヒドの縮合物をベースとする分散剤と一緒に攪拌し、該混合物をその後、湿式粉砕において０．２乃至１．０μｍの平均粒径に粉砕した。
その後、インクは、
１．０質量部の市販の界面活性剤、
０．２質量部の市販の保存料、
３０．０質量部の市販の保湿剤、及び
５８．５７質量部の脱イオン水
の徹底した攪拌を伴う添加により、インクの総質量に基づいて７．４３質量％の染料含量に調整された。
【００８０】
調製されたインクは、精密濾過され、ドロップ・オン・デマンド圧電技術によるインクジェット印刷機動作を使用して、ポリエステル布上及びポリエステル極細繊維布（Ａｌｃａｎｔａｒａ）上に印刷された。印刷物は乾燥され、１８０℃で８分間過熱蒸気で固定された。良好な全周堅牢度特性、特に、高温光堅牢度を有する高い色強度の深黒色印刷物が得られた。
【００８１】
乾燥された印刷物が２００℃で１分間熱風で固定された場合、良好な全周堅牢度特性、特に、高温光堅牢度を有する高い色強度の深黒色印刷物が、同様に得られた。
【００８２】
実施例３
０．８６質量部の、式（１０１）、（１０２）及び（１０３）で表される分散染料の等量の混合物、
０．９８質量部の式（２０１）で表される分散染料、
１．２８質量部の式（３０１）及び（３０２）で表される分散染料の等量の混合物、
３．６６質量部の、式（４０１）及び（４０２）で表される分散染料の等量の混合物、
０．４１質量部の式（５）で表される分散染料、
０．３９質量部の式（６）で表される分散染料、
を、３．５質量部のリグニンスルホネートをベースとする市販の分散剤と一緒に攪拌し、該混合物をその後、湿式粉砕において０．２乃至１．０μｍの平均粒径に粉砕した。
その後、インクは、
１．０質量部の市販の界面活性剤、
０．２質量部の市販の保存料、
３５．０質量部の市販の保湿剤、及び
５２．７２質量部の脱イオン水
の徹底した攪拌を伴う添加により、インクの総質量に基づいて７．５８質量％の染料含量に調整された。
【００８３】
調製されたインクは、精密濾過され、ドロップ・オン・デマンド圧電技術によるインクジェット印刷機動作を使用して、ポリエステル布上及びポリエステル極細繊維布（Ａｌｃａｎｔａｒａ）上に印刷された。印刷物は乾燥され、１８０℃で８分間過熱蒸気で固定された。良好な全周堅牢度特性、特に、高温光堅牢度を有する高い色強度の深黒色印刷物が得られた。ＶＤＡ７５２０２に準じるポリエステル布及びポリエステル極細繊維布の高温光堅牢度は、それぞれ、４−５及び３−４（グレースケール）に格付けされた。
【００８４】
乾燥された印刷物が２００℃で１分間熱風で固定された場合、良好な全周堅牢度特性、特に、高温光堅牢度を有する高い色強度の深黒色印刷物が、同様に得られた。
【００８５】
実施例４
実施例３に従うインクの２０質量部が、８０質量部の脱イオン水の添加により、１．５２％の染料含量に調整された。得られたインクは、精密濾過され、ドロップ・オン・デマンド圧電技術によるインクジェット印刷機動作を使用して、ポリエステル極細繊維布（Ａｌｃａｎｔａｒａ）上に印刷された。印刷物は乾燥され、１８０℃で８分間過熱蒸気で固定された。良好な全周堅牢度特性、特に、高温光堅牢度を有する灰色印刷物が得られた。
【国際調査報告】
2015533879.tif 000033
2015533879.tif 000034